(57)【特許請求の範囲】
【請求項１】
第１の区分（２０）が第２の区分（３０）に対して平面内で可動であるようにヒンジ式接合部（４０）によって互いにヒンジ式に取り付けられた少なくとも２つの区分を備えるエルボー（１０）を備える物品であって、前記区分が前記エルボーを通る通路（５０）を画定し、その通路を通じて、分注ストロー（６０）が延在することができ、前記通路が、前記２つの区分を通じて最後まで、かつそれらを取り付ける前記ヒンジ式接合部を通じて垂直に延在し、ここで前記エルボー（１０）が分注ストロー（６０）の長さに沿って可動であることにより、前記エルボー（１０）のいずれかの側における分注ストロー（６０）の区分の寸法における汎用性を提供することによって前記エルボー（１０）が特徴付けられている、物品。
【請求項２】
前記区分が、一方の区分の他方の区分に対する動きを阻止する戻止め（９０）を備える、請求項１に記載の物品。
【請求項３】
前記エルボーを通じて延在する屈曲自在な分注ストロー（６０）を更に備える、請求項１に記載の物品。
【請求項４】
前記分注ストローが、前記分注ストローの長さに対して概ね垂直に延在するレバー（７４）を備える、請求項３に記載の物品。
【請求項５】
弁ステム（１１０）を有する容器（１００）を更に備え、前記弁ステムを通じて、前記容器の内容物が分注可能であり、前記分注ストローが、前記弁ステムに取り付けることができる一端にコネクタ（７０）を有し、前記レバーが、前記分注ストローまたは前記コネクタの一部に沿って前記コネクタと前記エルボーとの間にある、請求項４に記載の物品。
【請求項６】
前記分注ストローが屈曲自在なポリマー組成物からなる、請求項３〜５のいずれかに記載の物品。
【請求項７】
前記エルボーが前記分注ストローを屈曲するために使用される際に、前記エルボーが、前記エルボーを通じて延在する分注ストローに対して屈曲圧を加えないヒンジ接合部の周囲の長さを有する、請求項１〜６のいずれか一項に記載の物品。
【請求項８】
前記エルボーが前記分注ストローを屈曲するために使用される際に、前記エルボーが、前記エルボーを通じて延在する分注ストローと接触しないヒンジ接合部の周囲の長さを有する、請求項１〜７のいずれか一項に記載の物品。
【発明の詳細な説明】
【技術分野】
【０００１】
本発明は、分注ストローを所望の角度に方向付けるのに有用なエルボーに関する。
【背景技術】
【０００２】
容器からシーラントフォームのような材料を分注することの課題は、その材料を、局所及び対象物の周囲に行き届くことが困難なコーナー内に方向付けることを可能にすることである。典型的には、一成分の噴霧フォームシーラントは、噴霧フォーム材料の缶に付着するプラスチック分注ストローを備えている。ユーザは、材料を缶から分注ストローが向くいずれの場所に、またはユーザが材料を分注すべく分注ストローを方向付けるために第２の手を利用する場所に分注する際に制限される。分注ストローは、ユーザによって随意の角度及び方向で位置付け可能であり、かつ、分注ストローを通じて材料を圧縮容器から分注する間、分注点の近傍にユーザの手があることの必要性を解消するために、ユーザによって選択された位置に留まるようになるのが望ましい。
【０００３】
ＷＯ２００／０９４３８は、ストロー内に、そのストローの全長に沿って、ワイヤ「成形要素」を統合する分注ストローを開示している。分注ストローは、所望の形状または配向に屈曲可能であり、ワイヤ成形要素は、分注ストローをその形状または配向に保持する役目を果たす。
【０００４】
ＧＢ２４７０２０７は、波形チューブを開示しており、そのチューブを通じて、コークを分注することができる。波形断面のチューブは、コークがチューブからまっすぐに出ること以外に、所望の方向にコークを配置するように、所望の角度へ屈曲可能である。
【０００５】
分注ストローは、そのストローを通じて容器から加圧内容物を分注する間、一体的に組み込まれたワイヤ、もしくは分注ストローと一体になり、かつその全長に沿って走行する他の成形要素を必要とせず、またはストローに波形を必要とせずに、所望の位置に留まるようになることが望ましい。
【発明の概要】
【０００６】
本発明は、分注ストローであって、その分注ストローを通じて容器から加圧内容物を分注する間、一体的に組み込まれたワイヤ、もしくは分注ストローと一体であり、かつその全長に沿って走行する他の成形要素を必要とせず、またはストローに波形を必要とせずに、所望の位置に留まるようになる分注ストローを提供するための解決策を提供する。
【０００７】
一態様では、本発明は、第１の区分が第２の区分に対して平面内で可動であるようにヒンジ式接合部によって互いにヒンジ式に取り付けられた少なくとも２つの区分を有するエルボーを含む物品であり、これらの区分が通路を画定し、その通路を通じて、分注ストローが延在することができ、この通路が、２つの区分を通じて最後まで、かつそれらを取り付けるヒンジ式接合部を通じて垂直に延在する。本物品は、エルボーの通路を通じて延在する屈曲自在な分注ストローを更に含むことができる。
【０００８】
本発明は、加圧内容物を容器から所望の場所内に方向付けるのに有用である。
【図面の簡単な説明】
【０００９】
【図１】各区分の大半を通る通路を完全に包囲するエルボー物品の一例を示す。
【図２】各区分の大半を通る通路を完全には包囲しない本発明のエルボー物品の一例を示す。
【図３】分注ストローの周囲の場所における図２のエルボーを示す。
【図４】分注ストローを屈曲する図２のエルボーを備える分注ストローを示す。
【図５】分注ストローを取り付けるのに適した缶を示す。
【図６】分注ストローと、レバーを備えるコネクタを介して容器の弁ステムに取り付けられた分注ストローを伴う図２のエルボーとを備える本発明の物品を示す。
【発明を実施するための形態】
【００１０】
「及び／または」は、「及び、またはあるいは」を意味する。全ての範囲は、特段の記述がなされていない限り、終点を含む。
【００１１】
本発明は、分注ストローを通じて材料を分注する間、分注ストローを所要な角度に保持するために有用なエルボーを含む。
【００１２】
エルボーは、第１の区分が第２の区分に対して平面内で可動であるように互いにヒンジ式に取り付けられた少なくとも２つの区分を備える。典型的には、第１の区分は、第２の区分に対して平面内で可動であることのみに限定される。エルボーを含むこれらのセクションの組成は、エルボーが所要な角度で保持するストローよりも剛性であるのが望ましい。エルボーは、４５度以上の角度でストローを保持することが可能な場合には、ストローよりも剛性であるとみなされる。それらの区分は、それらの組成の点で同一または異なり得る。例えば、それらの区分は、以下の材料、プラスチック、金属、及び無機鉱物のうちのいずれか１つもしくは組み合わせ、または２つ以上から作製され得る。適切なプラスチックの例は、ポリエチレン、ポリプロピレン、ポリスチレン、ポリエチレンテレフタレート、ポリ塩化ビニル、ポリカーボネート、ポリウレタン、ナイロン、及びこれらの材料のいずれかのコポリマーを含む。適切な金属の例は、アルミニウム、鋼、真ちゅう、銅、スズ、鉄、及びマグネシウムを含む。適切な無機鉱物の例は、セラミック材料を含む。
【００１３】
区分は、ドアがヒンジを用いて装着された壁に対するそのドアと同様に、それらの区分が相互に対して、平面内で、好ましくは、ヒンジ式接合部に垂直な面内のみで可動である場合には、「ヒンジ式に」取り付けられる。それらの区分は、例えば、ヒンジ式接合部を形成するように、第１の区分を通ってまたは第１の区分から、第２の区分における孔を通って、または戻止め内へ伸びるピンまたは他の突起によって、ヒンジ式に取り付けられ得る。
【００１４】
エルボーは、２つの区分のみからなり得るか、または３つ以上の区分を含むことができる。例えば、エルボーは、各々が、隣接する区分にヒンジ式に取り付けられる３つ以上の区分を含むことができる。エルボーが相互にヒンジ式に取り付けられた２つの区分からなる場合、エルボーは、そのエルボー（及びそのエルボーを通じて伸びるストロー）を単一の角度で屈曲するのに有用である。エルボーが相互にヒンジ式に取り付けられた３つ以上の区分からなる場合には、エルボーは、そのエルボー（及びそのエルボーを通じて延在するストロー）を、２つまたは３つ以上の異なる角度で屈曲するため、またはより丸まったコーナーを有する単一の角度をなすために、使用され得る。
【００１５】
エルボーの各区分は、材料の単一の片であり得る、または、単一の区分を形成するように共に組み立てられた２つ以上の片を含むことができる。
【００１６】
ヒンジ式に取り付けられた２つの区分、好ましくは、ヒンジ式に取り付けられた全ての区分は、エルボーにおいて、望ましくは、それらの区分を取り付けるヒンジ式接合部の周囲で互いに対して動くために、エルボーが所望の屈曲角度で分注ストローを保持することができるように、周囲にエルボーが存在する分注ストローによって与えられる復元力よりも大きい力を必要とする。２つの区分を互いに対してヒンジ動作させるために必要とされる力は、ヒンジ式接合部における２つの区分間の摩擦を増す（例えば、２つの区分が接合部において互いに押圧する仕様を増加することが、それらの２つの区分間の摩擦を増す）ことにより、増大され得る。望ましくは、区分は、十分な力が適用されるまで、２つの区分を互いに対して１つの位置に保持する戻止めを備える、または、別の状況では、戻止め機構は区分の互いに対するヒンジ動作を可能にするように開放される。戻止めの例は、一方の区分において１つまたは２つ以上の突起を含み、その突起は、ヒンジ式に取り付けられた第２の区分における１つまたは２つ以上の切れ込みと嵌合する。
【００１７】
エルボーの２つの区分、好ましくは、隣接する区分にヒンジ式に取り付けられた各区分は、その区分を通じて最後まで画定された通路を有し（すなわち、その区分を通る通路を最後まで画定し）、その通路を通じて、分注ストローが延在可能である。通路は、区分を通って、かつヒンジ式接合部に対して垂直に延在する。ヒンジ式接合部に対して垂直とは、２つの区分がヒンジ式接合部の周囲で動くときに、そのヒンジ式接合部が、各区分の通路を通じて延在するストローを屈曲することを意味する。よって、通路は、ヒンジ式接合部によって取り付けられた２つの区分を通り、かつそれらの２つの区分間のヒンジ式接合部に対して垂直に延在する。
【００１８】
通路の横断面寸法は、エルボーが周囲に存在する分注ストローの横断面寸法と同等であるか、またはそれよりも僅かに大きいのが望ましい。望ましくは、エルボーは、分注ストロー上をスリップし、かつ分注ストローの長さに沿って異なる場所へ摺動することができる。同時に、エルボーにとって、エルボーと分注ストローとの間の摩擦に基因して、分注ストローに沿ってある場所に留まるように、分注ストローに対して十分にぴったりと嵌合するものであることが望ましい。エルボーが分注ストローの長さに沿って可動であるのを許容することは、ユーザに対して、エルボーのいずれかの側における分注ストローの区分の寸法について汎用性（ｖｅｒｓｔａｔｉｌｉｔｙ）をもたらす。分注ストローに沿ったエルボーの摩擦保持を許容するような大きさとされたエルボーに通じる通路は、分注ストローにおけるエルボーの位置付けに好都合となる。
【００１９】
エルボーは、通路を通じて延在する分注ストローとの摩擦接触を増大するように通路内へ延在する１または複数のねじ、固定突起、及び／または他の調節可能もしくは調節不可能なものを備えることができる。例えば、エルボーは、エルボーを分注ストローに沿って適所に保持するエルボーの通路を通じて延在する分注ストローに対して締め付けられ得て、かつ分注ストローに沿ったエルボーの動きを許容するように緩められ得るセットねじを備えることができる。
【００２０】
あるいは、エルボーは、エルボーの通路を通じて延在する分注ストローに貼付され得る。例えば、にかわまたは他の接着剤が、エルボーの１つまたは複数の区分とそのエルボーの通路を通じて延在する分注ストローとの間に、存在し得る。その接着剤は、分注ストローをエルボーの１つまたは複数の区分に貼付し、そして、分注ストローに沿ったエルボーの動きを妨げる。
【００２１】
２つの区分の各々の長さは、本発明の最も広範な範囲内に限定されてない。しかしながら、実際には、それらの２つの区分の各々の長さは、その区分を通じて延在する通路の最大横断面寸法の少なくとも１倍、好ましくは２倍以上であり、また、３倍以上、４倍以上、及び更には５倍以上であり得る。区分は、横断面寸法の少なくとも１倍の長さとすることにより、その区分の通路を通じて所望な角度で延在する分注ストローに対して、その分注ストローを保持するのに適切なてこ作用力を有するようになる。区分の長さをより長くすることは、分注ストローを所望な角度により正確に位置付けるのに望ましいこととなる。同時に、２つの区分の各々にとって、周囲に、その区分が存在する、またはエルボーが分注ストローよりも長く延在しないようにするために存在すべきである分注ストローの半分以下であるのが、実用的である。エルボーの区分は、同一の長さまたは異なる長さを有することができる。
【００２２】
誤解を避けるため、「長さ」とは、通路が延在する方向、及びストローが通路を通じて延在する方向に延在する。横断面は、長さに対して垂直に平面内で延在する。
【００２３】
模範的な寸法として、別の区分に個別にヒンジ式に取り付けられたエルボーの各区分は、典型的には６．２５ミリメートル（ｍｍ）以上、好ましくは９．５ｍｍ以上の長さを有し、また、１２．７ｍｍ以上、１９ｍｍ以上、及び更には２５．４ｍｍ以上の長さを有することができ、それと同時に、その長さは、典型的には８０ｍｍ以上、更に典型的には６０ｍｍ以上であり、また、５０ｍｍ以下、４０ｍｍ以下、３０ｍｍ以下、及び更には２５ｍｍ以下であり得る。同様に、エルボーの区分を通る通路は、典型的には、横断面が概ね円形であり、かつ、典型的には１０ｍｍ以下、好ましくは７．５ｍｍ以下、更に好ましくは５ｍｍ以下の直径を有し、それと同時に、その直径は、典型的には１ｍｍ以上、好ましくは１．５ｍｍ以上であり、また、更に好ましくは、２ｍｍ以上、更により好ましくは、３ｍｍ以上、４ｍｍ以上、及び更には５ｍｍ以上であり得る。
【００２４】
エルボーにとって、エルボーの各区分において、ヒンジ式接合部からストローに沿って延在する分注ストローに沿った長さを有するのが望ましい。
【００２５】
エルボーにとって、エルボーがストローを屈曲するために使用されるときに、ヒンジ点において分注ストローを過度に制限するまたはねじる傾向を減少するために、エルボーを通じて延在する分注ストローに対して屈曲圧を加えない、及び／または、ヒンジが屈曲する平面内でストローと接触しないヒンジ式接合部の周囲の長さを有するのが望ましい。エルボーの区分は、分注ストローを屈曲するために、エルボーを通じて延在する分注ストローに屈曲圧を加える。例えば、図１（ａ）及び（ｂ）、ならびに図２（ａ）及び２（ｂ）におけるエルボーを参照されたい。それらのエルボーは、エルボーの通路を通じて延在する分注ストロー及びエルボーの区分が、屈曲圧を加えず、かつ、エルボーが屈曲するヒンジ周囲で分注ストローが制限されないようにそのエルボーが屈曲する平面内で、接触しないようにヒンジに近接した開口を有するものである。望ましくは、エルボーは、ヒンジ式接合部周囲に、３ｍｍ以上、好ましくは４ｍｍ以上、更に好ましくは５ｍｍ以上であり、６ｍｍ以上、８ｍｍ以上、１０ｍｍ以上、１２ｍｍ以上でもあり得る、エルボーを通じて延在するストローと接触しないスペースを提供し、それと同時に、そのスペースは、典型的には２６ｍｍ以下、好ましくは２０ｍｍ以下、更に好ましくは１５ｍｍ以下、更により好ましくは１０ｍｍ以下であり、また、８ｍｍ以下、６ｍｍ以下、更には５ｍｍ以下であり得る。このスペースは、エルボーが屈曲する平面内でエルボーを通じて延在する分注ストローと接触し、かつストローを屈曲するときにそのストローに屈曲圧を加えるエルボーの区分部分間に存在する。
【００２６】
エルボーは、分注ストロー周囲に位置付けるためのものである。分注ストローは、本発明の物品の一部であり得る。前述したように、エルボーは、分注ストローに貼付（例えば、接着剤で貼付）され得るか、またはエルボーは、ストローに沿って自在に可動であり、ユーザが望む場所に位置付けられ得る。望ましくは、エルボーは、ストロー周囲にぴったりと嵌合して、ユーザがエルボーをストローに沿って動かす力を加えない限り、ストローに沿って動くことがないようにすることができる。
【００２７】
エルボーの区分の形状は、本発明における最も広範な範囲に制限されない。例えば、区分は、その区分を通じて延在する通路の周囲全体にいたる側部を有する管形状であり得る。あるいは、区分は、その区分を通じて延在する通路の周囲全体未満で延在することができる。例えば、区分は、通路（及びその通路を通じて延在するストロー）の第一側周囲に延在することができるが、通路（及びその通路を通じて延在するストロー）の対向する第二側周囲には延在しないようすることができる。
【００２８】
分注ストローは屈曲自在であり、それは、分注ストローが１つの形状から別の形状へ破損せずに可逆的に屈曲され得ることを意味する。分注ストローは、望ましくは、ポリマー組成物で作製される。典型的には、そのポリマー組成物は、ポリエチレン、ポリ塩化ビニル、ポリプロピレン、ゴム、及びこれらの材料を含有するコポリマーから選択される。分注ストローは、ポリマー組成物からなり得るか、または添加剤及び充填材のような付加的な材料を更に含むことができる。
【００２９】
分注ストローは、一般的には、ストローの長さによって分離される２つの対向する端部を有する。対向する端部の一方は分注端部であり、他方は供給端部である。供給端部は、望ましくは、容器の弁ステムに直接的または間接的に取り付けられる。そのことに関連して、分注端部は、一般的には、分注ストローと一体であるか、または容器の弁ステムに取り付けることができる分注ストローに取り付けられるかのいずれかのコネクタを含む。容器は、通常は、分注ストローを通じて分注されるのが望ましい加圧材料（例えば、ポリウレタンフォーム製剤、ラテックスフロスフォーム製剤、あるいはチーズスプレッドまたは泡立てた酪農製もしくは非酪農製トッピングのような食品）を含有する。
【００３０】
分注ストローが加圧材料を含有する容器の弁ステムに取り付けられる際、材料は、一般的には、弁ステムの押下げまたは傾動によって、弁ステムを通じて容器から分注される。望ましくは、分注ストローは、弁ステム及び弁ステムに取り付けられた分注ストローを通じて材料を分注することを促すために、分注ストローの長さに対して概ね垂直に延在するレバーを備える。典型的には、レバーは、そのレバーが分注ストローに取り付けられる点における分注ストローの長さ寸法に対して相対的に、３０度以上、好ましくは４５度以上、更に好ましくは６０度以上、更に好ましくは７０度以上、更により好ましくは８０度以上、及び更に好ましくは９０度以上であり、それと同時に、１５０度以下、好ましくは１２０度以下、より好ましくは１１０度以下、更に好ましくは１００度以下である。容器を保持し、かつ分注ストローのレバーに圧力を加えている間、分注ストローは、弁ステムを傾動しかつ圧縮し、そして、弁ステム及び分注ストローを通じて、加圧材料を容器から放出する。圧力を解除することは、弁ステムが、元の位置に再位置付けして、弁ステムを通じる容器からの材料の流れ停をすることを許容する。レバーは、分注ストローの一方側のみから延在し、分注ストローの２つの対向する側から延在し、または分注ストローの周囲全体を含む程度まで延在することができる。
【００３１】
分注ストローが容器の弁ステムに取り付けられる際、レバーは、コネクタとエルボーとの間であることが望ましい。レバーは、コネクタの一部であり得るか、またはコネクタとは別個であり得る。コネクタとは別個である場合には、レバーは、コネクタとエルボーとの間であることが望ましい。
【００３２】
分注ストローは、レバーに加えて、またはレバーの代替として、ストロー上に画定されたまたはストローに取り付けられた指パッドを備えることができる。指パッドは、容器から材料を分注するために、レバーを引くまたは押すことよりも押圧することが有用である。
【００３３】
分注ストローは、使用中に、分注ストローからの材料の流れを制御するための分注チップのような特徴を含有することもできる。例えば、分注チップは、分注ストローに通じる通路の横断面積を狭めて、圧力を増大することができる、または比較的に広くて細長いファン外形のような形状を画定して、薄くて広い帯の材料を分注することができる。分注チップは、分注ストローと一体であり得るか、または分注ストローに取り付けまたは貼付された一片であり得る。
【００３４】
図１〜５は、本発明の態様を更に詳細に示すために、本発明の実施形態を示す。
【００３５】
図１（ａ）及び１（ｂ）は、エルボー１０を、角度付けられた位置及び上下斜視で、それぞれ示す。エルボー１０は、ヒンジ式接合部４０によって、互いにヒンジ式に取り付けられた第１の区分２０及び第２の区分３０を有する。ヒンジ式接合部４０は、区分２０及び３０を通じて延在するピン４２を備える。ピン４２は、区分２０及び３０が、ピンを含む線に対して垂直な平面内で回転することを許しつつ、区分２０及び３０を共に保持する。区分２０及び３０は、ヒンジ式接合部４０に加えて、両区分２０及び３０を通じて延在する通路５０を画定する。区分２０及び３０は、通路５０を全て取り囲む。エルボー１０は、そのエルボー１０がストローを屈曲するために使用されるときに、エルボー１０を通じて延在する分注ストローに屈曲圧を加えないヒンジ式接合部４０周囲の長さ４５を有する。
【００３６】
図２（ａ）及び２（ｂ）は、別バージョンのエルボー１０を、角度付けられた位置及び上下斜視で、それぞれ示す。エルボー１０は、ヒンジ式接合部４０によって、互いにヒンジ式に取り付けられた第１の区分２０及び第２の区分３０を有する。カップ状ディスク２６は、第２の区分３０のカップ状ディスク３６上に存在し、それと嵌合するように、第１の区分２０及び第２の区分３０は、第１の区分内２０のカップ状ディスク２６を第２の区分３０のリング３４における溝（図示せず）内へ嵌め込むことにより、共に保持される。あるいは、区分２０及び３０は、図１（ａ）及び１（ｂ）に示されたものと同様のピンまたはボルトで、共に保持され得る。ヒンジ式接合部４０は、区分２０及び３０の一方が他方のヒンジ４０に対して回転されるときに、エルボーを特定の角度内へ嵌め込むために、第２の区分３０のカップ状ディスク３８における戻止め３８と嵌合する第１の区分２０のカップ状ディスク２６における半ビード状の突起２８の形態をなす戻止め９０を備える。区分２０及び３０は、ヒンジ式接合部４０に加えて、両区分２０及び３０を通じて延在する通路５０を画定する。エルボー１０は、そのエルボー１０がストローを屈曲するために使用されるときに、エルボー１０を通じて延在する分注ストローに屈曲圧を加えないヒンジ式接合部４０周囲の長さ４５を有する。図２（ａ）及び２（ｂ）のエルボー１０の長さ４５は、図１（ａ）及び１（ｂ）のエルボー１０の長さ４５よりも長い。
【００３７】
図３は、分注ストロー６０が通路５０を通じて適所にある、図２（ａ）及び（ｂ）からのエルボー１０を示す。エルボー１０は、角度付けられた位置においてストロー６０を保持している。
【００３８】
図４は、分注ストロー６０が通路５０を通じて適所にある、図２（ａ）及び（ｂ）からのエルボー１０を示す。ストロー６０の一端上には、開口７２を介する容器弁ステムへの取り付けを可能にするコネクタ７０が存在している。コネクタ７０は、レバー７４も形成している。分注ストロー６０は、分注チップ８０を更に備える。
【００３９】
図５は、缶１００の上部１０５を通じて延在する弁ステム１１０を有する容器１００を示す。図４からのストロー６０のコネクタ７０は、分注ストロー６０を容器１００へ取り付けるように、弁ステム１１０上へねじ止めされる。
【００４０】
図６は、弁ステム１１０（不可視）に取り付けられた図４からのストロー６０のコネクタ７０を有する図５からの容器１００を示す。容器１００に対して相対的な分注ストロー６０の角度は、エルボー１０の角度を調節することによって変更され得る。
（態様）
（態様１）
第１の区分（２０）が第２の区分（３０）に対して平面内で可動であるようにヒンジ式接合部（４０）によって互いにヒンジ式に取り付けられた少なくとも２つの区分を備えるエルボー（１０）を備える物品であって、前記区分が前記エルボーを通る通路（５０）を画定し、その通路を通じて、分注ストロー（６０）が延在することができ、前記通路が、前記２つの区分を通じて最後まで、かつそれらを取り付ける前記ヒンジ式接合部を通じて垂直に延在する、物品。
（態様２）
前記区分が、一方の区分の他方の区分に対する動きを阻止する戻止め（９０）を備える、態様１に記載の物品。
（態様３）
前記エルボーを通じて延在する屈曲自在な分注ストロー（６０）を更に備える、態様１に記載の物品。
（態様４）
前記分注ストローが、前記分注ストローの長さに対して概ね垂直に延在するレバー（７４）を備える、態様３に記載の物品。
（態様５）
弁ステム（１１０）を有する容器（１００）を更に備え、前記弁ステムを通じて、前記容器の内容物が分注可能であり、前記分注ストローが、前記弁ステムに取り付けることができる一端にコネクタ（７０）を有し、前記レバーが、前記分注ストローまたは前記コネクタの一部に沿って前記コネクタと前記エルボーとの間にある、態様４に記載の物品。
（態様６）
前記分注ストローが屈曲自在なポリマー組成物からなる、態様３〜５のいずれかに記載の物品。
（態様７）
前記エルボーが前記ストローを屈曲するために使用される際に、前記エルボーが、前記エルボーを通じて延在する分注ストローに対して屈曲圧を加えない前記ヒンジ接合部の周囲の長さを有する、態様１〜６のいずれか一項に記載の物品。
（態様８）
前記エルボーが前記ストローを屈曲するために使用される際に、前記エルボーが、前記エルボーを通じて延在する分注ストローと接触しない前記ヒンジ接合部の周囲の長さを有する、態様１〜７のいずれか一項に記載の物品。
【図１】
0006805258.tif 000002
【図２】
0006805258.tif 000003
【図３】
0006805258.tif 000004
【図４】
0006805258.tif 000005
【図５】
0006805258.tif 000006
【図６】
0006805258.tif 000007